【手続補正書】
【提出日】平成18年9月27日(2006.9.27)
【手続補正１】
【補正対象書類名】特許請求の範囲
【補正対象項目名】全文
【補正方法】変更
【補正の内容】
【特許請求の範囲】
【請求項１】
生体組織に対して所定処理を行う可撓性の線材と、
該線材の進退操作を行う線材操作部と、
前記線材に対して進退自在に設けられ、線材を保持する第１の線材保持部材と、
該第１の線材保持部材の基端側に軸方向に進退自在に設けられ、第１の線材保持部材と共に前記線材を保持する第２の線材保持部材と、
該第２の線材保持部材の基端側に設けられた可撓性を有するシースと、
前記第１の線材保持部材及び前記第２の線材保持部材が、互いに接近する操作により前記線材を切断する切断手段を有することを特徴とする医療用処置具。
【請求項２】
請求項１に記載の医療用処置具において、
前記第１の線材保持部材と前記第２の線材保持部材との間で、前記線材を挟持可能であることを特徴とする医療用処置具。
【請求項３】
生体組織に対して所定処理を行う可撓性の線材と、
該線材の進退操作を行う線材操作部と、
前記線材に対して進退自在に設けられ、線材を保持する第１の線材保持部材と、
該第１の線材保持部材の基端側に軸方向に進退自在に設けられ、第１の線材保持部材と共に前記線材を保持する第２の線材保持部材と、
該第２の線材保持部材の基端側に設けられた可撓性を有する第１のシースと、
該第１のシースを覆って第１のシースに対して進退自在に設けられた可撓性を有する第２のシースと、
該第２のシースの先端に設けられ、前記線材を切断する切断刃を前記線材よりも先端側に配する切断部材を有することを特徴とする医療用処置具。
【請求項４】
請求項３に記載の医療用処置具において、
前記第１の線材保持部材と前記第２の線材保持部材との間で、前記線材を挟持可能であることを特徴とする医療用処置具。
【請求項５】
生体組織に対して所定処理を行う可撓性の線材と、
該線材の進退操作を行う線材操作部と、
前記線材に対して進退自在に設けられ、線材を保持する第１の線材保持部材と、
該第１の線材保持部材の基端側に軸方向に進退自在に設けられ、第１の線材保持部材との間で前記線材を挟持可能な第２の線材保持部材と、
該第２の線材保持部材の基端側に当接して設けられた可撓性を有する第１のシースと、
該第１のシースを覆って第１のシースに対して進退自在に設けられた可撓性を有する第２のシースと、
該第２のシースの進退操作を行うシース操作部とを備え、
前記第１の線材保持部材及び前記第２のシースが、互いを接続させる接続手段を有し、
前記第１の線材保持部材及び前記第２の線材保持部材が、前記線材を挟持したときに、互いを係止する係止手段及び線材を前記挟持位置よりも基端側で切断する切断手段を有し、
前記第２の線材保持部材が、第1の線材保持部材に係止されたときに、前記接続手段の接続を解く接続解放手段を有することを特徴とする医療用処置具。
【請求項６】
請求項５に記載の医療用処置具において、
前記切断手段が、前記第１の線材保持部材の内部にて前記線材を切断することを特徴とする医療用処置具。
【請求項７】
生体組織に対して所定処理を行う可撓性の線材と、
該線材の進退操作を行う線材操作部と、
前記線材に対して進退自在に設けられ、線材を保持する第１の線材保持部材と、
該第１の線材保持部材の基端側に軸方向に進退自在に設けられ、第１の線材保持部材との間で前記線材を挟持する第２の線材保持部材と、
該第２の線材保持部材の基端側に当接して設けられた可撓性を有する第１のシースと、
該第１のシースを覆って第１のシースに対して進退自在に設けられた可撓性を有する第２のシースと、
該第２のシースの先端に設けられ、前記線材を前記挟持位置よりも基端側で切断する切断刃を前記線材より先端側に配する切断部材と、
該第２のシースの進退操作を行うシース操作部とを備え、
前記第１の線材保持部材及び前記第２のシースが、互いを接続させる接続手段を有し、
前記第１の線材保持部材及び前記第２の線材保持部材が、前記線材を挟持したときに、互いを係止する係止手段を有し、
前記第２の線材保持部材が、第1の線材保持部材に係止されたときに、前記接続手段の接続を解く接続解放手段を有することを特徴とする医療用処置具。
【請求項８】
請求項７に記載の医療用処置具において、
前記第２の線材保持部材が、切断後の前記線材の切断端部を内部に収納する線材収納部を有することを特徴とする医療用処置具。
【請求項９】
請求項７又は８に記載の医療用処置具において、
前記切断部材が、前記第２のシースに着脱可能に設けられていることを特徴とする医療用処置具。
【請求項１０】
請求項５から９のいずれか１項に記載の医療用処置具において、
前記接続手段が、前記第２のシースから先端方向に突出すると共に先端に第２のシースの内部に向けて突起した爪部を有する突出部と、前記第１の接続部材の外周に設けられて前記爪部に係止可能な係止孔とからなり、
前記接続解放手段が、前記係止状態のときに、前記係止孔内に嵌合すると共に前記爪部を係止孔から押し出し可能な係合爪であることを特徴とする医療用処置具。
【請求項１１】
請求項１０に記載の医療用処置具において、
前記係止手段が、前記係止孔と前記係合爪とからなることを特徴とする医療用処置具。
【請求項１２】
請求項１から１１のいずれか１項に記載の医療用処置具において、
前記線材が、生体組織を結紮する結紮ワイヤであることを特徴とする医療用処置具。
【請求項１３】
請求項１から１１のいずれか１項に記載の医療用処置具において、
前記線材が、生体組織を縫合する縫合糸であり、
該縫合糸の先端に接続された抜止部材と、
該抜止部材を着脱自在に収納すると共に、先端に生体組織に穿刺する針部を有する縫合針本体とを備えることを特徴とする医療用処置具。
【手続補正２】
【補正対象書類名】明細書
【補正対象項目名】０００８
【補正方法】変更
【補正の内容】
【０００８】
上記目的を達成するために、本発明は、以下の手段を提供する。
請求項１に係る発明は、生体組織に対して所定処理を行う可撓性の線材と、該線材の進退操作を行う線材操作部と、前記線材に対して進退自在に設けられ、線材を保持する第１の線材保持部材と、該第１の線材保持部材の基端側に軸方向に進退自在に設けられ、第１の線材保持部材と共に前記線材を保持する第２の線材保持部材と、該第２の線材保持部材の基端側に設けられた可撓性を有するシースと、前記第１の線材保持部材及び前記第２の線材保持部材が、互いに接近する操作により前記線材を切断する切断手段を有する医療用処置具を提供する。
請求項２に係る発明は、請求項１に記載の医療用処置具において、前記第１の線材保持部材と前記第２の線材保持部材との間で、前記線材を挟持可能である医療用処置具を提供する。
請求項３に係る発明は、生体組織に対して所定処理を行う可撓性の線材と、該線材の進退操作を行う線材操作部と、前記線材に対して進退自在に設けられ、線材を保持する第１の線材保持部材と、該第１の線材保持部材の基端側に軸方向に進退自在に設けられ、第１の線材保持部材と共に前記線材を保持する第２の線材保持部材と、該第２の線材保持部材の基端側に設けられた可撓性を有する第１のシースと、該第１のシースを覆って第１のシースに対して進退自在に設けられた可撓性を有する第２のシースと、該第２のシースの先端に設けられ、前記線材を切断する切断刃を前記線材よりも先端側に配する切断部材を有する医療用処置具を提供する。
請求項４に係る発明は、請求項３に記載の医療用処置具において、前記第１の線材保持部材と前記第２の線材保持部材との間で、前記線材を挟持可能である医療用処置具を提供する。
請求項５に係る発明は、生体組織に対して所定処理を行う可撓性の線材と、該線材の進退操作を行う線材操作部と、前記線材に対して進退自在に設けられ、線材を保持する第１の線材保持部材と、該第１の線材保持部材の基端側に軸方向に進退自在に設けられ、第１の線材保持部材との間で前記線材を挟持可能な第２の線材保持部材と、該第２の線材保持部材の基端側に当接して設けられた可撓性を有する第１のシースと、該第１のシースを覆って第１のシースに対して進退自在に設けられた可撓性を有する第２のシースと、該第２のシースの進退操作を行うシース操作部とを備え、前記第１の線材保持部材及び前記第２のシースが、互いを接続させる接続手段を有し、前記第１の線材保持部材及び前記第２の線材保持部材が、前記線材を挟持したときに、互いを係止する係止手段及び線材を前記挟持位置よりも基端側で切断する切断手段を有し、前記第２の線材保持部材が、第1の線材保持部材に係止されたときに、前記接続手段の接続を解く接続解放手段を有する医療用処置具を提供する。
【手続補正３】
【補正対象書類名】明細書
【補正対象項目名】００１１
【補正方法】変更
【補正の内容】
【００１１】
請求項６に係る発明は、請求項５に記載の医療用処置具において、前記切断手段が、前記第１の線材保持部材の内部にて前記線材を切断する医療用処置具を提供する。
この発明に係る医療用処置具においては、線材を切断するときに、切断手段が第１の線材保持部材の内部にて線材を切断するので、切断後の線材の切断端部が第１の線材保持部材の外部に露出することはない。従って、生体内において他の処置具等との干渉を防止することができる。
【手続補正４】
【補正対象書類名】明細書
【補正対象項目名】００１２
【補正方法】変更
【補正の内容】
【００１２】
請求項７に係る発明は、生体組織に対して所定処理を行う可撓性の線材と、該線材の進退操作を行う線材操作部と、前記線材に対して進退自在に設けられ、線材を保持する第１の線材保持部材と、該第１の線材保持部材の基端側に軸方向に進退自在に設けられ、第１の線材保持部材との間で前記線材を挟持する第２の線材保持部材と、該第２の線材保持部材の基端側に当接して設けられた可撓性を有する第１のシースと、該第１のシースを覆って第１のシースに対して進退自在に設けられた可撓性を有する第２のシースと、該第２のシースの先端に設けられ、前記線材を前記挟持位置よりも基端側で切断する切断刃を前記線材より先端側に配する切断部材と、該第２のシースの進退操作を行うシース操作部とを備え、前記第１の線材保持部材及び前記第２のシースが、互いを接続させる接続手段を有し、前記第１の線材保持部材及び前記第２の線材保持部材が、前記線材を挟持したときに、互いを係止する係止手段を有し、前記第２の線材保持部材が、第1の線材保持部材に係止されたときに、前記接続手段の接続を解く接続解放手段を有する医療用処置具を提供する。
【手続補正５】
【補正対象書類名】明細書
【補正対象項目名】００１５
【補正方法】変更
【補正の内容】
【００１５】
請求項８に係る発明は、請求項７に記載の医療用処置具において、前記第２の線材保持部材が、切断後の前記線材の切断端部を内部に収納する線材収納部を有する医療用処置具を提供する。
この発明に係る医療用処置具においては、第２の線材保持部材が、切断後の線材の切断端部を線材収納部に収納するので、切断端部が第２の線材保持部材の外部に露出することはない。従って、生体内において他の処置具等との干渉を防止することができる。
【手続補正６】
【補正対象書類名】明細書
【補正対象項目名】００１６
【補正方法】変更
【補正の内容】
【００１６】
請求項９に係る発明は、請求項７又は８に記載の医療用処置具において、前記切断部材が、前記第２のシースに着脱可能に設けられている医療用処置具を提供する。
この発明に係る医療用処置具においては、切断部材を第２のシースから着脱させて交換することができる。従って、切断刃を新品状態にでき、切断性を維持することができる。
【手続補正７】
【補正対象書類名】明細書
【補正対象項目名】００１７
【補正方法】変更
【補正の内容】
【００１７】
請求項１０に係る発明は、請求項５から９のいずれか１項に記載の医療用処置具において、前記接続手段が、前記第２のシースから先端方向に突出すると共に先端に第２のシースの内部に向けて突起した爪部を有する突出部と、前記第１の接続部材の外周に設けられて前記爪部に係止可能な係止孔とからなり、前記接続解放手段が、前記係止状態のときに、前記係止孔内に嵌合すると共に前記爪部を係止孔から押し出し可能な係合爪である医療用処置具を提供する。
【手続補正８】
【補正対象書類名】明細書
【補正対象項目名】００１９
【補正方法】変更
【補正の内容】
【００１９】
請求項１１に係る発明は、請求項１０に記載の医療用処置具において、前記係止手段が、前記係止孔と前記係合爪とからなる医療用処置具を提供する。
この発明に係る医療用処置具においては、第１の線材保持部材と第２の線材保持部材とが、線材を挟持したときに、係合爪が係止孔内に嵌ることで、両部材の係止が行える。このように、接続手段の係止孔と、接続解放手段である係合爪とを利用することで、両部材の係止が確実に行えるので、係止手段を別個に設ける必要がない。従って、構成の容易化を図ることができる。
【手続補正９】
【補正対象書類名】明細書
【補正対象項目名】００２０
【補正方法】変更
【補正の内容】
【００２０】
請求項１２に係る発明は、請求項１から１１のいずれか１項に記載の医療用処置具において、前記線材が、生体組織を結紮する結紮ワイヤである医療用処置具を提供する。
この発明に係る医療用処置具においては、結紮ワイヤを体内の生体組織に引っ掛けた後、線材操作部を基端方向に操作することで、生体組織の結紮が行える。そして、結紮した後、該生体組織の状態に関係なく、第１の線材保持部材と第２の線材保持部材との間で結紮ワイヤを挟持固定及び切断を確実に行うことができる。
【手続補正１０】
【補正対象書類名】明細書
【補正対象項目名】００２１
【補正方法】変更
【補正の内容】
【００２１】
請求項１３に係る発明は、請求項１から１１のいずれか１項に記載の医療用処置具において、前記線材が、生体組織を縫合する縫合糸であり、該縫合糸の先端に接続された抜止部材と、該抜止部材を着脱自在に収納すると共に、先端に生体組織に穿刺する針部を有する縫合針本体とを備える医療用処置具を提供する。
この発明に係る医療用処置具においては、体内の生体組織に対して針部で穿刺しながら縫合針本体を操作して、該生体組織を縫合する。縫合後、抜止部材を縫合針本体から離脱させると共に、線材操作部を基端方向に操作することで、抜止部材と第１の線材保持部材との間に生体組織を引き寄せる。そして、この状態で、生体組織の状態に関係なく、第１の線材保持部材と第２の線材保持部材との間で縫合糸の挟持固定及び切断を確実に行うことができる。